(57)【特許請求の範囲】
【請求項１】
接続対象の電子装置と無線通信により接続する電子装置であって、
自装置を識別する識別情報を記憶する記憶部と、
前記接続対象の電子装置に接続要求を送信し、前記接続要求に対する接続拒否を受信したときには、前記接続対象の電子装置に接続されている他の電子装置に対して前記自装置の識別情報を送信し、前記他の電子装置から送信された前記自装置の識別情報を受信した前記接続対象の電子装置からの前記接続対象の電子装置との接続要求を受信したときには、前記接続対象の電子装置と接続する制御部と、
を有することを特徴とする電子装置。
【請求項２】
前記制御部は、前記他の電子装置から接続情報を受信し、前記接続情報が前記接続対象の電子装置と当該電子装置との接続に切り替え可能である旨を示すときには、前記他の電子装置に対して前記接続対象の電子装置との接続の切断を要求する切断要求を送信することを特徴とする請求項１記載の電子装置。
【請求項３】
前記制御部は、前記他の電子装置に対して前記自装置の識別情報を前記切断要求に含めて送信することを特徴とする請求項２記載の電子装置。
【請求項４】
接続対象の電子装置と無線通信により接続する電子装置であって、
前記接続対象の電子装置と接続している場合において、他の電子装置から送信された前記他の電子装置を識別する識別情報を受信したとき、前記接続対象の電子機器と通信中でない場合には、前記他の電子装置の識別情報と、前記接続対象の電子装置と当該電子装置との接続の切断と、前記接続対象の電子装置と前記他の電子装置との接続とを要求する切り替え要求とを、前記接続対象の電子装置に対して送信し、前記接続対象の電子機器と通信中である場合には、前記接続対象の電子装置と当該電子装置との接続の切断を拒否する切断拒否を前記他の電子装置に対して送信する制御部を有することを特徴とする電子装置。
【請求項５】
前記制御部は、前記接続対象の電子装置と接続している場合において、前記他の電子装置から接続情報の送信を要求する接続情報要求を受信したときには、前記他の電子装置に対して前記接続対象の電子装置との接続の状態が前記他の電子装置の接続に切り替え可能であるか否かを示す接続情報を送信することを特徴とする請求項４記載の電子装置。
【請求項６】
電子装置と無線通信により接続する電子装置であって、
自装置と接続中の電子装置から送信された、他の電子装置を識別する識別情報と、前記自装置と前記接続中の電子装置との接続の切断と、前記自装置と前記他の電子装置との接続とを要求する切り替え要求を受信した場合において、前記接続中の電子装置との接続の切断が完了したときには、周囲に存在する接続可能な他の電子機器のうち、受信した前記識別情報が示す電子装置に対して接続を要求する接続要求を送信する制御部を有することを特徴とする電子装置。
【請求項７】
接続対象の電子装置と無線通信により接続する電子装置を制御する無線通信制御プログラムであって、
電子装置に、
前記接続対象の電子装置に接続要求を送信し、前記接続要求に対する接続拒否を受信したときには、前記接続対象の電子装置に接続されている他の電子装置に対して記憶部に記憶されている自装置を識別する識別情報を送信し、前記他の電子装置から送信された前記自装置の識別情報を受信した前記接続対象の電子装置からの前記接続対象の電子装置との接続要求を受信したときには、前記接続対象の電子装置と接続する処理を実行させることを特徴とする無線通信制御プログラム。
【請求項８】
接続対象の電子装置と無線通信により接続する電子装置を制御する無線通信制御プログラムであって、
電子装置に、
前記接続対象の電子装置と接続している場合において、他の電子装置から送信された前記他の電子装置を識別する識別情報を受信したとき、前記接続対象の電子機器と通信中でない場合には、前記他の電子装置の識別情報と、前記接続対象の電子装置と当該電子装置との接続の切断と、前記接続対象の電子装置と前記他の電子装置との接続とを要求する切り替え要求とを、前記接続対象の電子装置に対して送信し、前記接続対象の電子機器と通信中である場合には、前記接続対象の電子装置と当該電子装置との接続の切断を拒否する切断拒否を前記他の電子装置に対して送信する処理を実行させることを特徴とする無線通信制御プログラム。
【発明の詳細な説明】
【技術分野】
【０００１】
本件は電子装置および無線通信制御プログラムに関する。
【背景技術】
【０００２】
近年、Ｂｌｕｅｔｏｏｔｈ（登録商標）による無線通信技術を使用した音楽プレーヤ、携帯電話機、小型携帯端末装置、パーソナルコンピュータ（Personal computer）等の情報処理装置、ヘッドホン、スピーカ等の出力装置、リモートコントローラ、マウス、キーボード等の入力装置のように、無線通信を使用した電子装置が広く利用されている。また、このような無線通信技術において、Ｂｌｕｅｔｏｏｔｈワイヤレステクノロジのように、統一規格の装置やその他の対応する製品同士であれば、メーカが同一であるか異なるかを問わずに共通して使用可能な場合もある。
【０００３】
このＢｌｕｅｔｏｏｔｈによる無線通信では、マスター側の装置とスレーブ側の装置との間で通信が行われる。マスター側の装置は、スレーブ側の装置との通信時において無線通信を制御する装置であり、通信を開始する側の装置であるものとする。スレーブ側の装置は、マスター側の装置による無線通信の制御を受けながら通信する装置であり、無線通信で接続される側の装置であるものとする。
【先行技術文献】
【特許文献】
【０００４】
【特許文献１】特開２００４−１２０６５１号公報
【特許文献２】特開２００６−２３００１０号公報
【特許文献３】特開２００４−２３５８３８号公報
【発明の概要】
【発明が解決しようとする課題】
【０００５】
例えば、スレーブ側の装置（例えば、１台のヘッドホン）を複数のマスター側の装置（例えば、２台のパーソナルコンピュータ）が使用する場合がある。このような場合において、スレーブ側の装置が第１のマスター側の装置と接続状態である場合、スレーブ側の装置が使用中であるか否かにかかわらず、第２のマスター側の装置（他のマスター側の装置）は、スレーブ側の装置を使用することができない。第２のマスター側の装置がスレーブ側の装置を使用可能とするためには、第１のマスター側の装置とスレーブ側の装置との間の接続を切断する必要があり、ユーザにとって操作が煩雑である。
【０００６】
さらに、接続中の第１のマスター側の装置が自動再接続機能を有する場合、ユーザが接続を切断しても自動再接続機能によりすぐにスレーブ側の装置は第１のマスター側の装置と自動で再接続されてしまう。このような場合、第２のマスター側装置への切替えがスムーズに行えない可能性がある。
【０００７】
本件はこのような点に鑑みてなされたものであり、複数の装置間での接続の切り替えを容易に行うことができる電子装置および無線通信制御プログラムを提供することを目的とする。
【課題を解決するための手段】
【０００８】
上記課題を解決するために、接続対象の電子装置と無線通信により接続する電子装置が提供される。この電子装置では、記憶部は、自装置を識別する識別情報を記憶する。制御部は、接続対象の電子装置と接続する際に、接続対象の電子装置が他の電子装置と接続されている場合には、他の電子装置に対して自装置の識別情報を送信し、他の電子装置から送信された自装置の識別情報を受信した接続対象の電子装置からの接続対象の電子装置との接続要求を受信したときには、接続対象の電子装置と接続する。
【０００９】
また、上記課題を解決するために、接続対象の電子装置と無線通信により接続する電子装置が提供される。この電子装置では、制御部は、接続対象の電子装置と接続している場合において、他の電子装置から送信された他の電子装置を識別する識別情報を受信したときには、他の電子装置の識別情報と、接続対象の電子装置と当該電子装置との接続の切断と、接続対象の電子装置と他の電子装置との接続とを要求する切り替え要求とを、接続対象の電子装置に対して送信する。
【００１０】
また、上記課題を解決するために、電子装置と無線通信により接続する電子装置が提供される。この電子装置では、制御部は、自装置と接続中の電子装置から送信された、他の電子装置を識別する識別情報と、自装置と接続中の電子装置との接続の切断と、自装置と他の電子装置との接続とを要求する切り替え要求とを受信した場合において、接続中の電子装置との接続の切断が完了したときには、他の電子装置の識別情報に基づき他の電子装置に対して他の電子装置との接続を要求する接続要求を送信する。
【００１１】
また、上記課題を解決するために、接続対象の電子装置と無線通信により接続する電子装置を制御する無線通信制御プログラムが提供される。この無線通信制御プログラムは、制御部は、電子装置を、接続対象の電子装置と接続する際に、接続対象の電子装置が他の電子装置と接続されている場合には、他の電子装置に対して記憶部に記憶されている自装置を識別する識別情報を送信し、他の電子装置から送信された自装置の識別情報を受信した接続対象の電子装置からの接続対象の電子装置との接続要求を受信したときには、接続対象の電子装置と接続する制御部として機能させる。
【発明の効果】
【００１２】
上記電子装置および無線通信制御プログラムによれば、複数の装置間での無線通信による接続の切り替えが自動化され、装置間の接続の切り替えを容易に行うことができる。
【図面の簡単な説明】
【００１３】
【図１】第１の実施の形態の電子装置を示す図である。
【図２】第２の実施の形態の無線通信システムを示す図である。
【図３】第２の実施の形態の情報処理装置のハードウェアを示す図である。
【図４】第２の実施の形態のヘッドホンのハードウェアを示す図である。
【図５】第２の実施の形態のＢｌｕｅｔｏｏｔｈパケットの構造を示す図である。
【図６】第２の実施の形態の情報処理装置およびヘッドホンの機能を示すブロック図である。
【図７】第２の実施の形態における接続の切り替え時のマスター側の装置とスレーブ側の装置との接続状態を示す図である。
【図８】第２の実施の形態における接続の切り替え時のマスター側の装置とスレーブ側の装置との接続状態を示す図である。
【図９】第２の実施の形態における接続の切り替え時のマスター側の装置とスレーブ側の装置との接続状態を示す図である。
【図１０】第２の実施の形態の無線通信システムにおける接続時の手順を示す図である。
【図１１】第２の実施の形態の接続マスターテーブルを示す図である。
【図１２】第２の実施の形態の接続マスターテーブルを示す図である。
【図１３】第２の実施の形態の接続要求処理を示すフローチャートである。
【図１４】第２の実施の形態の接続要求処理を示すフローチャートである。
【図１５】第２の実施の形態のマスター側接続応答処理を示すフローチャートである。
【図１６】第２の実施の形態のマスター側接続応答処理を示すフローチャートである。
【図１７】第２の実施の形態のスレーブ側接続応答処理を示すフローチャートである。
【図１８】第２の実施の形態のスレーブ側接続応答処理を示すフローチャートである。
【発明を実施するための形態】
【００１４】
以下、本実施の形態を図面を参照して詳細に説明する。
［第１の実施の形態］
図１は、第１の実施の形態の電子装置を示す図である。例えば、第１の実施の形態に係る電子装置１，２，３として、携帯端末装置、携帯電話機、携帯テレビ、携帯型ゲーム機、電子辞書装置等の電子機器、ノート型コンピュータやＰＤＡ（Personal Digital Assistant）等の情報処理装置、イヤホン、スピーカ、マイクロホン等の音響機器、プリンタ、スキャナ、外部記憶装置、リモートコントローラ、マウス、キーボード、トラックボール、デジタイザ、タッチパネル、タッチペン等の周辺機器等が考えられる。本実施の形態においてはマスター側の装置を電子装置１，２とし、スレーブ側の装置を電子装置３とする例を説明する。
【００１５】
電子装置１は、電子装置３と無線通信により接続可能である。電子装置１は、制御部１ａ、マスター情報記憶部１ｂ、アンテナ１ａ１を有する。無線通信は、例えば、Ｂｌｕｅｔｏｏｔｈ等の近距離無線通信やＩＥＥＥ８０２．１１ａ/ｂ/ｇ/ｎの無線ＬＡＮ等である。
【００１６】
制御部１ａは、接続対象である電子装置３と接続する際に、まず、電子装置３に対して接続要求を送信する。接続要求に対する応答が接続拒否である等、電子装置３が電子装置２と接続されている場合には、制御部１ａは、電子装置２に対してマスター情報記憶部１ｂに記憶されているマスター情報を送信する。また、制御部１ａは、電子装置２からの電子装置１のマスター情報を受信した電子装置３から送信された、電子装置３との接続要求を受信したときには、電子装置３と接続する。
【００１７】
マスター情報記憶部１ｂは、電子装置１を識別するマスター情報を記憶する。マスター情報は、一意に装置を特定可能な情報、例えば、電子装置１の通信モジュールがもつアドレスを用いればよい。例えば、無線通信がＢｌｕｔｏｏｔｈによる通信であれば、Ｂｌｕｅｔｏｏｔｈアドレスを用いればよい。電子装置２，３は、マスター情報を用いて電子装置１と無線通信を行う。また、電子装置２，３についても、同様にそれぞれマスター情報が設定されている。電子装置１，２，３は、電子装置１，２，３のマスター情報を用いて無線通信の制御および通信を行う。
【００１８】
アンテナ１ａ１は、電子装置２および電子装置３との間の無線通信における電波の送受信に使用される。
電子装置２は、電子装置３と無線通信により接続可能である。電子装置２は、制御部２ａ、アンテナ２ａ１を有する。
【００１９】
制御部２ａは、電子装置３と接続している場合において、電子装置１から送信された電子装置１を識別するマスター情報を受信したときには、電子装置３に対して、電子装置１から送信されたマスター情報および切り替え要求を送信する。この切り替え要求は、電子装置３と電子装置２との接続の切断の要求、電子装置３と電子装置１との接続の要求を含む。
【００２０】
アンテナ２ａ１は、電子装置１および電子装置３との間の無線通信における電波の送受信に使用される。
電子装置３は、電子装置１，２と無線通信により接続可能である。電子装置３は、制御部３ａ、アンテナ３ａ１を有する。
【００２１】
制御部３ａは、電子装置３と接続中の電子装置２から切り替え要求を受信した場合、電子装置３と電子装置２との接続の切断が完了したときに、マスター情報に基づき電子装置１に対して電子装置１との接続を要求する接続要求を送信する。
【００２２】
アンテナ３ａ１は、電子装置１および電子装置２との間の無線通信における電波の送受信に使用される。
なお、電子装置１は、電子装置２の機能を有してもよい。また、電子装置２は、電子装置１の機能を有してもよい。
【００２３】
本実施の形態では、以上の電子装置１，２，３が以下のように動作することにより、電子装置２と電子装置３との間の接続が、電子装置１と電子装置３との間の接続に切り替えられる。
【００２４】
電子装置１の制御部１ａは、電子装置３との無線通信ができない場合、電子装置２に対してマスター情報記憶部１ｂに記憶されているマスター情報を送信する。電子装置２の制御部２ａは、電子装置１から送信された電子装置１を識別するマスター情報を受信した場合、電子装置２と接続中の電子装置３に対して、マスター情報および切り替え要求を送信する。電子装置３の制御部３ａは、電子装置３と接続中の電子装置２からマスター情報および切り替え要求とを受信した場合、電子装置３と電子装置２との接続の切断が完了した後、マスター情報に基づき電子装置１に対して電子装置１との接続を要求する接続要求を送信する。これに基づき、制御部１ａは、電子装置３から送信された電子装置３との接続要求を受信して、電子装置３と接続する。
【００２５】
このような電子装置１，２，３を用いた無線通信システムによれば、マスター側の装置である電子装置１，２とスレーブ側の装置である電子装置３との無線通信による接続の切り替えが自動化される。これにより、電子装置３は、電子装置２から電子装置１へ接続が容易に切り替えられる。
【００２６】
以下の第２の実施の形態では、第１の実施の形態に係る電子装置１，２の応用例として、情報処理装置を挙げる。また、電子装置３の応用例として、ヘッドホンを挙げる。ただし、前述の通り、電子装置１，２は、情報処理装置以外の様々な電子装置に応用できる。また、電子装置３は、ヘッドホン以外の様々な電子装置に応用できる。
【００２７】
［第２の実施の形態］
図２は、第２の実施の形態の無線通信システムを示す図である。第２の実施の形態の無線通信システムは、マスター側の装置である情報処理装置１００，２００、音楽プレーヤ３００、携帯電話機４００のうちのいずれか１つとスレーブ側の装置であるヘッドホン５００とをＢｌｕｅｔｏｏｔｈにより接続して無線通信を行う。なお、本実施の形態では、Ｂｌｕｅｔｏｏｔｈによる無線通信を例示するが、これに限らず、ＩＥＥＥ８０２．１１ａ/ｂ/ｇ/ｎの無線ＬＡＮおよびその他の近距離無線通信であってもよい。
【００２８】
情報処理装置１００，２００、音楽プレーヤ３００、携帯電話機４００およびヘッドホン５００は、Ｂｌｕｅｔｏｏｔｈによる無線通信機能を有しており、マスター側の装置とスレーブ側の装置との間でＢｌｕｅｔｏｏｔｈによる接続制御およびデータ通信が可能である。
【００２９】
Ｂｌｕｅｔｏｏｔｈによる無線通信では、予めペアリング（pairing）と呼ばれるマスター側の装置とスレーブ側の装置との間における接続設定が完了している必要がある。本実施の形態では、図２に示すように、マスター側の情報処理装置１００，２００、音楽プレーヤ３００および携帯電話機４００とヘッドホン５００との間でペアリングが完了しているものとする。
【００３０】
また、本実施の形態の無線通信システムにおいて、スレーブ側のヘッドホン５００は、１つのマスター側の装置と接続される。すなわち、ヘッドホン５００は、あるマスター側の装置と接続されているときには、他のマスター側の装置と接続されない。他のマスター側の装置と接続する場合、ヘッドホン５００は、現在接続されているマスター側の装置との接続を切断してから、他のマスター側の装置と接続する。例えば、図２に示すように、ヘッドホン５００が情報処理装置２００と接続されている場合において、情報処理装置１００がヘッドホン５００と接続するには、一旦、ヘッドホン５００と情報処理装置２００との間の接続が切断された後、ヘッドホン５００は情報処理装置１００に接続される。
【００３１】
図３は、第２の実施の形態の情報処理装置のハードウェアを示す図である。ＣＰＵ（Central Processing Unit）１０１は、情報処理装置１００の全体を制御する。ＣＰＵ１０１は、バス１０８を介してＲＡＭ（Random Access Memory）１０２や複数の周辺機器と相互に接続されている。
【００３２】
ＲＡＭ１０２は、情報処理装置１００の主記憶装置として使用される。ＲＡＭ１０２は、ＣＰＵ１０１に実行させるＯＳ（Operating System）やアプリケーションプログラムの少なくとも一部を一時的に格納する。また、ＲＡＭ１０２は、ＣＰＵ１０１による処理に必要な各種データを格納する。
【００３３】
バス１０８に接続されている周辺機器の例として、ハードディスクドライブ（ＨＤＤ:Hard Disk Drive）１０３、グラフィック処理装置１０４、入力インタフェース１０５、光学ドライブ装置１０６、および無線通信部１０７がある。
【００３４】
ＨＤＤ１０３は、内蔵のディスクに対して、磁気的にデータの書き込みおよび読み出しを行う。ＨＤＤ１０３は、情報処理装置１００の二次記憶装置として使用される。ＨＤＤ１０３は、ＯＳ、アプリケーションプログラム、および各種データを格納する。なお、二次記憶装置として、フラッシュメモリ等の半導体記憶装置が使用されてもよい。
【００３５】
グラフィック処理装置１０４には、モニタ１１が接続されている。グラフィック処理装置１０４は、ＣＰＵ１０１からの命令に従って、画像をモニタ１１の画面に表示させる。モニタ１１の例として、ＣＲＴ（Cathode Ray Tube）を用いた表示装置や液晶表示装置等がある。
【００３６】
入力インタフェース１０５には、キーボード１２とマウス１３とが接続されている。入力インタフェース１０５は、キーボード１２やマウス１３から送られてくる信号をＣＰＵ１０１に送信する。マウス１３は、ポインティングデバイスの一例であり、他のポインティングデバイスを使用してもよい。他のポインティングデバイスの例として、タッチパネル、タブレット、タッチパッド、トラックボール等がある。
【００３７】
光学ドライブ装置１０６は、レーザ光等を利用して、光ディスク１４に記録されたデータの読み取りを行う。光ディスク１４は、光の反射によって読み取り可能なようにデータが記録された可搬型の記録媒体である。光ディスク１４には、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）等がある。光学ドライブ装置１０６は、光ディスク１４にデータを記録する機能を備えていてもよい。
【００３８】
無線通信部１０７には、アンテナ１０７ａが接続されている。無線通信部１０７は、アンテナ１０７ａを介して、他の装置との無線通信を制御すると共に、データの送受信を行う。Ｂｌｕｅｔｏｏｔｈによる通信は、無線通信の一例である。
【００３９】
図４は、第２の実施の形態のヘッドホンのハードウェアを示す図である。第２の実施の形態に係るヘッドホン５００は、制御部５０１、無線通信部５０２、電源部５０３、操作部５０４、音響制御部５０５、スピーカ５０５ａ、マイクロホン５０５ｂを有する。また、無線通信部５０２、電源部５０３、操作部５０４、音響制御部５０５は、バス５０６により、制御部５０１と接続されている。また、スピーカ５０５ａ、マイクロホン５０５ｂは、音響制御部５０５と接続されている。
【００４０】
制御部５０１は、ヘッドホン５００全体を制御する。制御部５０１は、例えば、ＣＰＵ、ＲＡＭ、ＲＯＭ、フラッシュメモリで実現できる。ＣＰＵは、ＲＯＭからプログラムやデータを読み出し、ＲＡＭにロードしてプログラムを実行する。ＲＡＭは、プログラムやデータの少なくとも一部を一時的に格納する揮発性メモリである。なお、ＲＡＭに代えて、他の種類のメモリを用いてもよい。ＲＯＭは、制御部５０１が使用するプログラムやデータを格納する不揮発性メモリである。フラッシュメモリは、制御部５０１が使用するプログラムやデータのうち書き替えの必要があると共にヘッドホン５００の電源オフ後にも保持する必要があるプログラムやデータを格納する非揮発性のメモリである。制御部５０１で行われる制御には、通信制御、音声入出力制御、キー操作制御等が含まれる。
【００４１】
無線通信部５０２には、アンテナ５０２ａが接続されている。無線通信部５０２は、アンテナ５０２ａを介して、マスター側の装置との間で無線通信によるデータの送受信を行う。この無線通信によるデータの送受信は、マスター側の装置による制御に基づく。
【００４２】
電源部５０３は、ヘッドホン５００の各部にバッテリや外部電源による電源を供給する。
操作部５０４は、ヘッドホン５００が有する操作キー、操作ボタン等の入力装置によるユーザの電源操作や入力操作等の操作を受け付ける。操作部５０４は、その受け付けた操作に基づく信号を制御部５０１に送信する。
【００４３】
音響制御部５０５は、スピーカ５０５ａへ出力する音響信号およびマイクロホン５０５ｂから入力される音響信号を制御する。
スピーカ５０５ａは、ヘッドホン５００を使用するユーザの耳に対して音を出力する。スピーカ５０５ａは、音響制御部５０５の制御に従って、電気信号を物理振動に変換して音を再生する。マイクロホン５０５ｂは、音声入力を受け付け、音の物理振動を電気信号に変換して音響制御部５０５に出力する。
【００４４】
以上のようなハードウェア構成によって、本実施の形態の処理機能は実現される。なお、図３は情報処理装置１００のハードウェア構成を示すが、他のマスター側の装置である情報処理装置２００、音楽プレーヤ３００、携帯電話機４００も同様のハードウェア構成であればよい。
【００４５】
図５は、第２の実施の形態のＢｌｕｅｔｏｏｔｈパケットの構造を示す図である。本実施の形態の無線通信システムでは、図５に示す各Ｂｌｕｅｔｏｏｔｈパケットが、情報処理装置１００，２００、音楽プレーヤ３００、携帯電話機４００、ヘッドホン５００等の装置の間で送受信される。これにより、無線通信の接続制御およびデータ通信が行われる。
【００４６】
図５に示すＢｌｕｅｔｏｏｔｈパケット６０は、７２ビットの領域であるアクセスコード、５４ビットの領域であるヘッダ、０〜２７５４ビットの可変長の領域であるペイロードを有する。本実施の形態の無線通信システムでは、Ｂｌｕｅｔｏｏｔｈパケット６０を用いてデータ通信が行われる。
【００４７】
通常のＦＨＳ（Frequency Hop Synchronization）パケットのペイロード６１は、通常のＢｌｕｅｔｏｏｔｈによる無線通信の確立時にマスター側の装置とスレーブ側の装置との間で送受信され、Ｂｌｕｅｔｏｏｔｈアドレスおよび無線通信に使用するクロックを通知する。通常のＦＨＳパケットのペイロード６１は、Ｂｌｕｅｔｏｏｔｈアドレス、Ｂｌｕｅｔｏｏｔｈクロック、Ｂｌｕｅｔｏｏｔｈサービスを有する。Ｂｌｕｅｔｏｏｔｈアドレスは、送信する装置を特定するアドレスを示す。Ｂｌｕｅｔｏｏｔｈクロックは、Ｂｌｕｅｔｏｏｔｈによる無線通信に使用するクロックを示す。Ｂｌｕｅｔｏｏｔｈサービスは、Ｂｌｕｅｔｏｏｔｈによる無線通信で提供される機能を示す。
【００４８】
接続スレーブ情報送信時のペイロード６２は、スレーブ側の装置（ヘッドホン５００）と現在接続しているマスター側の装置（情報処理装置２００）から、スレーブ側の装置との接続を要求するマスター側の装置（情報処理装置１００）に対してスレーブ側装置を示す接続スレーブ情報を送信する。接続スレーブ情報送信時のペイロード６２は、接続マスターＢｌｕｅｔｏｏｔｈアドレス、接続マスターＢｌｕｅｔｏｏｔｈクロック、接続マスターＢｌｕｅｔｏｏｔｈサービスを有する。接続マスターＢｌｕｅｔｏｏｔｈアドレスは、スレーブ側の装置と現在接続しているマスター側の装置のＢｌｕｅｔｏｏｔｈアドレスを示す。接続マスターＢｌｕｅｔｏｏｔｈクロックは、スレーブ側の装置と現在接続しているマスター側の装置におけるＢｌｕｅｔｏｏｔｈクロックを示す。接続マスターＢｌｕｅｔｏｏｔｈサービスは、スレーブ側の装置と現在接続しているマスター側の装置におけるＢｌｕｅｔｏｏｔｈサービスを示す。また、接続スレーブ情報送信時のペイロード６２は、スレーブＢｌｕｅｔｏｏｔｈアドレス、接続状況を有する。スレーブＢｌｕｅｔｏｏｔｈアドレスは、接続しているスレーブ側の装置のＢｌｕｅｔｏｏｔｈアドレスを示す。接続状況は、スレーブ側の装置との通信の状態を示す。接続スレーブ情報送信時のペイロード６２の接続状況は、図６において後述する接続スレーブ情報として機能する。
【００４９】
切断要求送信時のペイロード６３は、スレーブ側の装置（ヘッドホン５００）との接続を要求するマスター側の装置（情報処理装置１００）から、現在接続しているマスター側の装置（情報処理装置２００）に対してスレーブ側の装置との切断を要求する切断要求を送信する。切断要求送信時のペイロード６３は、要求マスターＢｌｕｅｔｏｏｔｈアドレス、要求マスターＢｌｕｅｔｏｏｔｈクロック、要求マスターＢｌｕｅｔｏｏｔｈサービスを有する。要求マスターＢｌｕｅｔｏｏｔｈアドレスは、スレーブ側の装置との接続を要求するマスター側の装置のＢｌｕｅｔｏｏｔｈアドレスを示す。要求マスターＢｌｕｅｔｏｏｔｈクロックは、スレーブ側の装置との接続を要求するマスター側の装置におけるＢｌｕｅｔｏｏｔｈクロックを示す。要求マスターＢｌｕｅｔｏｏｔｈサービスは、スレーブ側の装置との接続を要求するマスター側の装置におけるＢｌｕｅｔｏｏｔｈサービスを示す。また、切断要求送信時のペイロード６３は、切断要求を有する。この切断要求は、現在接続スレーブ側の装置と接続しているマスター側の装置に対してスレーブ側の装置との切断を要求するものである。切断要求送信時のペイロード６３の要求マスターＢｌｕｅｔｏｏｔｈアドレスは、図６において後述するマスター情報として機能する。
【００５０】
切り替え要求時のペイロード６４は、現在接続しているマスター側の装置からスレーブ側の装置に対して、現在の接続を切断すると共にスレーブ側の装置との接続を要求するマスター側の装置に接続の切り替えを要求する切り替え要求を送信する。切り替え要求時のペイロード６４は、切り替え要求、要求マスターＢｌｕｅｔｏｏｔｈアドレスを有する。切り替え要求は、現在接続しているマスター側の装置からスレーブ側の装置に対して、現在の接続の切断と、接続を要求するマスター側の装置との接続への切り替えを要求する。要求マスターＢｌｕｅｔｏｏｔｈアドレスは、スレーブ側の装置との接続を要求するマスター側の装置のＢｌｕｅｔｏｏｔｈアドレスを示す。切り替え要求時のペイロード６４の要求マスターＢｌｕｅｔｏｏｔｈアドレスは、図６において後述するマスター情報として機能する。
【００５１】
準備完了通知時のペイロード６５は、スレーブ側の装置から現在接続しているマスター側の装置に対して、現在の接続の切断および接続を要求するマスター側装置との接続の準備が完了した旨を通知する準備完了通知を送信する。
【００５２】
なお、上記のパケットのデータ構造は、種々に変形されてもよい。例えば、本実施の形態に示したもの以外の情報が付加されてもよい。一方、本実施の形態に示した情報の一部が省略されてもよい。
【００５３】
図６は、第２の実施の形態の情報処理装置およびヘッドホンの機能を示すブロック図である。本実施の形態の無線通信システムは、情報処理装置１００，２００のいずれか１つがヘッドホン５００と排他的に接続される。
【００５４】
情報処理装置１００は、ヘッドホン５００とＢｌｕｅｔｏｏｔｈを用いた無線通信により接続可能である。情報処理装置１００は、制御部１１１、マスター情報記憶部１５１、アンテナ１０７ａを有する。
【００５５】
制御部１１１は、接続対象であるヘッドホン５００と接続する際に、まず、ヘッドホン５００に接続要求を送信する。制御部１１１は、ヘッドホン５００から接続要求に対する接続拒否を受信した場合、ヘッドホン５００との接続の状態を確認する接続スレーブ情報要求を、送信先のマスター側の装置を指定せずに送信する。接続スレーブ情報は、ヘッドホン５００と現在接続されているマスター側の装置との間の接続について、ヘッドホン５００と他のマスター側の装置（本例では情報処理装置２００等）との接続に切り替え可能であるか否かを示す。接続スレーブ情報要求を受信した各マスター側の装置は、情報処理装置１００による接続の要求の対象であるヘッドホン５００と接続している場合、情報処理装置１００に対して、ヘッドホン５００との通信の接続の状態を示す接続スレーブ情報を送信する。
【００５６】
次に、制御部１１１は、ヘッドホン５００と接続中の情報処理装置２００から送信された接続スレーブ情報を受信する。制御部１１１は、受信した接続スレーブ情報の接続の状態がヘッドホン５００と情報処理装置１００との接続に切り替え可能である旨を示すときには、情報処理装置２００に対してヘッドホン５００との接続の切断を要求する切断要求を送信する。このとき、制御部１１１は、マスター情報記憶部１５１に記憶されているマスター情報を切断要求に含める。切断要求を受信した情報処理装置２００は、切断要求に含まれるマスター情報をヘッドホン５００に送信する。
【００５７】
そして、制御部１１１は、ヘッドホン５００からヘッドホン５００との接続要求を受信したときには、ヘッドホン５００と接続する。このヘッドホン５００との接続要求は、情報処理装置２００から送信された情報処理装置１００のマスター情報を受信したヘッドホン５００から送信される。
【００５８】
制御部１１１は、後述する制御部２１１と同一の機能を有する。これにより、情報処理装置１００は、ヘッドホン５００と接続している場合に、情報処理装置２００等の他のマスター側の装置からヘッドホン５００との接続の切り替え要求を受け、要求に応じて接続の切り替えを行うことができる。
【００５９】
マスター情報記憶部１５１は、情報処理装置１００を識別するマスター情報を記憶する。マスター情報は、例えば、情報処理装置１００のＢｌｕｅｔｏｏｔｈアドレス等であればよい。情報処理装置２００、ヘッドホン５００は、マスター情報を用いて情報処理装置１００と無線通信を行う。また、情報処理装置２００、ヘッドホン５００についても、同様にそれぞれマスター情報が設定されている。情報処理装置１００，２００、ヘッドホン５００は、情報処理装置１００，２００、ヘッドホン５００のマスター情報を用いて無線通信の制御および通信を行う。
【００６０】
アンテナ１０７ａは、情報処理装置２００およびヘッドホン５００との間の無線通信における電波の送受信に使用される。
情報処理装置２００は、ヘッドホン５００と無線通信により接続可能である。情報処理装置２００は、制御部２１１、マスター情報記憶部２５１、アンテナ２０７ａを有する。
【００６１】
制御部２１１は、ヘッドホン５００と接続している場合において、情報処理装置１００から接続スレーブ情報要求を受信したときには、まず、情報処理装置１００に対してヘッドホン５００との接続の状態が情報処理装置１００の接続に切り替え可能であるか否かを示す接続スレーブ情報を送信する。ここでの接続スレーブ情報要求は、ヘッドホン５００と情報処理装置１００との接続に切り替え可能であるか否かを示す接続スレーブ情報の送信を要求するものである。
【００６２】
次に、制御部２１１は、ヘッドホン５００に対して、切り替え要求を送信する。ここでの切り替え要求は、ヘッドホン５００と情報処理装置２００との接続の切断およびヘッドホン５００と情報処理装置１００との接続を要求するものである。このとき、制御部２１１は、ヘッドホン５００に対して情報処理装置１００から送信されたマスター情報を切り替え要求に含める。
【００６３】
一方、制御部２１１は、ヘッドホン５００と接続していない場合において、情報処理装置１００から接続スレーブ情報要求を受信したときには、情報処理装置１００に対して接続スレーブ情報を送信しない。
【００６４】
また、制御部２１１は、前述した制御部１１１と同一の機能を有する。これにより、情報処理装置２００は、情報処理装置１００等の他のマスター側の装置と接続しているヘッドホン５００と接続するときに、その他のマスター側の装置に対して接続の切り替えを要求できる。
【００６５】
マスター情報記憶部２５１は、マスター情報記憶部１５１と同様、情報処理装置２００を識別するマスター情報を記憶する。
アンテナ２０７ａは、情報処理装置１００およびヘッドホン５００との間の無線通信における電波の送受信に使用される。
【００６６】
ヘッドホン５００は、情報処理装置１００，２００と無線通信により接続可能である。ヘッドホン５００は、制御部５０１、接続マスター情報記憶部５５１、アンテナ５０２ａを有する。
【００６７】
制御部５０１は、情報処理装置２００から切り替え要求を受信した場合において、ヘッドホン５００と情報処理装置２００との接続の切断が完了したときには、切り替え要求に含まれている情報処理装置１００を識別するマスター情報に基づき情報処理装置１００に対して情報処理装置１００との接続を要求する接続要求を送信する。
【００６８】
アンテナ５０２ａは、情報処理装置１００および情報処理装置２００との間の無線通信における電波の送受信に使用される。
接続マスター情報記憶部５５１は、図１１および図１２を用いて後述する接続マスター情報を記憶する。接続マスター情報は、ヘッドホン５００とのペアリングが完了しているマスター側の装置の接続の優先順位を示す。また、接続マスター情報は、接続マスターテーブルに通信の接続の優先順位と関連付けて設定される。ヘッドホン５００は、接続マスターテーブルに基づいてマスター側の装置との接続を制御する。
【００６９】
なお、図６は、スレーブ側の装置である１つのヘッドホン５００と、情報処理装置１００，２００の２つのマスター側の装置とを切り替えて接続する場合を説明している。しかしながら、これに限らず、１つのスレーブ側の装置に対して３つ以上のマスター側の装置を切り替えて接続してもよい。さらに、２つ以上のスレーブ側の装置に対して２つ以上のマスター側の装置を切り替えて接続してもよい。
【００７０】
図７から図９は、第２の実施の形態における接続の切り替え時のマスター側の装置とスレーブ側の装置との接続状態を示す図である。
図７は、マスター側の装置の１つであるマスター２（例えば、情報処理装置２００）とスレーブ側の装置であるスレーブ（例えば、ヘッドホン５００）とが接続されていると共にマスター２とスレーブとの間で通信が行われている状態を示す。図７は、マスター１（例えば、情報処理装置１００）、マスター２、マスター３（例えば、音楽プレーヤ３００）、マスター４（携帯電話機４００）の各マスター側の装置とスレーブとの接続状態を示す。なお、図７から図９のいずれの状態でも、各マスター側の装置とスレーブとはペアリングが完了しているものとする。
【００７１】
図７において、“ペアリング済”欄は各マスター側の装置とスレーブ側の装置のペアリング完了状態を示し、“○”はペアリング完了、“×”はペアリング未了を示す。“接続中”欄は各マスター側の装置とスレーブ側の装置の接続状態を示し、“○”は接続中、“×”は未接続を示す。“通信中”欄はマスター側の装置とスレーブ側の装置の通信状態を示し、“○”は通信中、“×”は非通信状態を示す。
【００７２】
すなわち、図７に示すように、マスター２は、スレーブと接続されていると共にスレーブとの間で通信が行われている。一方、他のマスター１，３，４は、スレーブと接続されておらず、かつ、通信も行われていない。また、前述したように、各マスター１〜４はスレーブとのペアリングを完了している。
【００７３】
スレーブと接続されているマスター側の装置とが通信中である場合、他のマスター側の装置から接続の切り替えの要求があっても、接続しているマスター側の装置は、通信の切断を拒否する。通信が終了して接続の状態が通信中から非接続状態の接続中に移行した場合、スレーブ側の装置と接続しているマスター側の装置は、他のマスター側の装置の要求に応じて接続の切り替えを行う。図７の状態では、マスター２がスレーブと通信中であるため、他のマスター１，３，４が接続要求を送信してもマスター２はスレーブとの接続の切断を拒否する。そのため、他のマスター１，３，４はスレーブと接続することができない。
【００７４】
図８は、マスター２とスレーブとが接続されているが通信が行われていない状態を示す。図８に示すように、マスター２は、スレーブと接続されているがスレーブとの間で通信を行っていない。他のマスター１，３，４は、スレーブと接続されておらず、かつ、通信も行われていない。また、前述したように各マスター１〜４は、スレーブとのペアリングを完了している。
【００７５】
図８の状態では、マスター２がスレーブと通信中でないため、他のマスターが接続要求を送信すると、マスター２はスレーブとの接続を切断し、スレーブに対して接続要求を送信した他のマスターと接続するように接続の切り替えを要求する。これにより、他のマスターはスレーブと接続することができる。
【００７６】
図９は、マスター２とスレーブとの接続が切断されると共に、マスター１とスレーブとが接続されていると共に通信が行われている状態を示す。図９に示すように、マスター１は、スレーブと接続されていると共にスレーブとの間で通信を行っている。一方、他のマスター２〜４は、スレーブと接続されず、かつ、通信も行われていない。また、前述したように各マスター１〜４は、スレーブとのペアリングを完了している。
【００７７】
図９の状態は、図８の状態からマスター２とスレーブとの接続が切断されると共に、マスター１とスレーブとが接続され、通信が行われていることを示す。
図１０は、第２の実施の形態の無線通信システムにおける接続時の手順を示す図である。図１０に示すように、本実施形態の無線通信システムでは、各装置間でＢｌｕｅｔｏｏｔｈによる無線通信が行われており、マスター側の装置の接続の要求に応じてスレーブ側の装置と接続されるマスター側の装置が切り替えられる。以下に、図１０に従って、ヘッドホン５００が情報処理装置２００と接続されているときに、情報処理装置１００からの接続の要求により、ヘッドホン５００と情報処理装置１００とが接続される場合の処理について説明する。
【００７８】
まず、情報処理装置１００は、接続対象のヘッドホン５００に対して接続要求を送信する（図１０における（１））。ヘッドホン５００は、情報処理装置２００とＢｌｕｅｔｏｏｔｈ通信により接続中であるため、情報処理装置１００からの接続要求に対して、情報処理装置１００に接続拒否を応答する（図１０における（２））。
【００７９】
情報処理装置１００は、ヘッドホン５００から接続拒否を受信したことを契機に、他のすべてのマスター側の装置に対して接続スレーブ情報要求を送信する（図１０における（３））。この接続スレーブ情報要求は、前述のように、ヘッドホン５００と接続しているマスター側の装置による応答および接続状態の通知を要求するものである。
【００８０】
情報処理装置２００、音楽プレーヤ３００、携帯電話機４００は、情報処理装置１００からの接続スレーブ情報要求を受信し、ヘッドホン５００と接続している場合、情報処理装置１００に対して接続スレーブ情報を送信する（図１０における（４））。図１０において、情報処理装置２００は、ヘッドホン５００と接続しているため、情報処理装置１００に対して接続スレーブ情報を送信する。一方、音楽プレーヤ３００および携帯電話機４００は、ヘッドホン５００と接続していないため、情報処理装置１００からの接続スレーブ情報要求に応答しない。
【００８１】
情報処理装置１００は、情報処理装置２００からの接続スレーブ情報を受信し、情報処理装置２００に対して切断要求を送信する（図１０における（５））。切断要求には、情報処理装置１００を識別する要求マスターＢｌｕｅｔｏｏｔｈアドレス（マスター情報）が含まれる。
【００８２】
情報処理装置２００は、情報処理装置１００からの切断要求を受信し、ヘッドホン５００との接続を切断する場合、ヘッドホン５００に対して、接続を切断すると共に、ヘッドホン５００と情報処理装置１００との接続を要求する切り替え要求を送信する（図１０における（６））。切り替え要求には、接続の切り替えを要求する情報処理装置１００のマスター情報が含まれる。これにより、情報処理装置２００からヘッドホン５００に対して情報処理装置１００のマスター情報が送信される。なお、要求マスター情報は、情報処理装置２００からヘッドホン５００に対して切り替え要求とは別個に送信されてもよい。一方、情報処理装置２００は、ヘッドホン５００と通信中等によりヘッドホン５００との接続の切断を行わない場合、情報処理装置１００に対して切断拒否を送信する。
【００８３】
ヘッドホン５００は、情報処理装置２００からの要求マスター情報および切り替え要求を受信した場合、情報処理装置２００との接続の切断および情報処理装置１００との接続の準備が完了すると、情報処理装置２００に対して準備完了通知を送信する（図１０における（７））。
【００８４】
情報処理装置２００は、ヘッドホン５００からの準備完了通知を受信し、ヘッドホン５００との接続を切断する（図１０における（８））。ヘッドホン５００は、情報処理装置２００との接続が切断されたことを受け、情報処理装置１００に対して接続要求を送信する（図１０における（９））。情報処理装置１００は、ヘッドホン５００からの接続要求を受信し、ヘッドホン５００と接続する。これにより、情報処理装置２００とヘッドホン５００との接続が切断され、情報処理装置１００とヘッドホン５００との接続に切り替えられる。
【００８５】
図１１および図１２は、第２の実施の形態の接続マスターテーブルを示す図である。図１１および図１２に示す接続マスターテーブル５５１ａ，５５１ｂは、制御部５０１によって作成および管理される。また、接続マスターテーブル５５１ａ，５５１ｂは、接続マスター情報記憶部５５１として機能する制御部５０１が有するフラッシュメモリに格納される。接続マスターテーブル５５１ａ，５５１ｂは、ヘッドホン５００とのペアリングが完了しているマスター側の装置の接続の優先順位を示す接続マスター情報を格納するテーブルである。
【００８６】
接続マスターテーブル５５１ａ，５５１ｂは、“優先順位”、“名称”の各項目を備える。各項目の情報が互いに関連付けられて、接続マスター情報を構成する。
優先順位は、ペアリングが完了しているマスター側の装置の優先順位を示す値である。優先順位の値が小さいマスター側の装置の方が優先的に接続される。名称は、ペアリングが完了しているマスター側の装置を一意に識別可能な名称である。
【００８７】
ヘッドホン５００は、マスター側の装置とのペアリング時に、ペアリングしたマスター側の装置の接続マスター情報を接続マスターテーブル５５１ａに設定する。
また、ヘッドホン５００は、マスター側の装置との接続の際に、接続対象のマスター側の装置の優先順位が“１”（最優先）になるように、接続マスターテーブル５５１ａ，５５１ｂにおける接続マスター情報の順位を変更する。例えば、図１１に示すように、ヘッドホン５００がマスター２と接続されている場合、接続マスターテーブル５５１ａは、優先順位１に対してマスター２が設定される。ここで、スレーブ側接続応答処理によりヘッドホン５００の接続対象がマスター２（例えば、情報処理装置２００）からマスター１（例えば、情報処理装置１００）に切り替えられると、接続マスター情報の優先順位が変更され、図１２に示すように、接続マスターテーブル５５１ｂの優先順位１には、マスター１が示される。なお、ヘッドホン５００によるマスター側の装置との接続は、スレーブ側接続応答処理、ユーザの指示等のその他の契機により行われる。
【００８８】
また、ヘッドホン５００は、電源投入時には、接続マスター情報に基づき、最も優先順位が高いマスター側の装置との接続を試みる。ヘッドホン５００は、最も優先順位が高いマスター側の装置との接続に失敗した場合、優先順位に従って各マスター側の装置との接続を試みる。
【００８９】
また、ヘッドホン５００は、切り替え要求に含まれているマスター情報に基づいて、切り替え要求を送信したマスター側の装置を特定する。ヘッドホン５００は、特定したマスター側の装置について、接続マスターテーブルに格納されている接続マスター情報を確認する。その確認の結果、切り替え要求を送信したマスター側の装置が接続マスターテーブルに設定されていない場合には、ヘッドホン５００は通信の接続を行わない。これにより、ペアリングが完了していない不正なマスター側の装置によるヘッドホン５００との接続が防止される。
【００９０】
図１３および図１４は、第２の実施の形態の接続要求処理を示すフローチャートである。接続要求処理はマスター側の装置がスレーブ側の装置と接続する処理である。以下では、図１３および図１４に示す接続要求処理をフローチャートのステップ番号に沿って説明する。ここでは、スレーブ側の装置がヘッドホン５００とする。また、この処理開始前に、ヘッドホン５００は、マスター側の装置の１つである情報処理装置２００と接続されているものとする。接続要求処理は、マスター側の装置がスレーブ側の装置と接続する際に実行される。
【００９１】
［ステップＳ１１］情報処理装置１００の制御部１１１は、スレーブ側の装置であるヘッドホン５００に対して接続要求を送信する。
［ステップＳ１２］制御部１１１は、接続要求に対するヘッドホン５００からの応答を受信し、その応答内容を確認する。応答が接続拒否であれば（ステップＳ１２  ＹＥＳ）、処理はステップＳ１３に進められる。一方、応答内容が接続拒否でなければ（ステップＳ１２  ＮＯ）、処理はステップＳ２５（図１４）に進められる。接続拒否の応答は、ヘッドホン５００が他のマスター側の装置と接続され、使用中であることに起因する。
【００９２】
［ステップＳ１３］制御部１１１は、ヘッドホン５００と接続されている可能性がある他のマスター側の装置に対して、自己（ここでは情報処理装置１００）を示すマスター情報および接続スレーブ情報要求を、送信先を指定せずに送信する。ここでの他のマスター側の装置は、例えば、情報処理装置２００、音楽プレーヤ３００、携帯電話機４００等である。接続スレーブ情報要求は、ヘッドホン５００と接続されているマスター側の装置に対して、ヘッドホン５００との接続状態の送信を要求するものである。情報処理装置２００は、情報処理装置１００からの接続スレーブ情報要求を受信し、ヘッドホン５００と接続されている場合には、情報処理装置１００に対して情報処理装置２００とヘッドホン５００との接続の状態を示す接続スレーブ情報を送信する。接続スレーブ情報は、ヘッドホン５００が情報処理装置２００と通信中であるか否かを示す情報を含む。ヘッドホン５００が情報処理装置２００と通信中である場合、情報処理装置２００は、ヘッドホン５００との接続の切断が不可能であり、接続の切り替えを拒否する状態にある。
【００９３】
［ステップＳ１４］制御部１１１は、情報処理装置２００からヘッドホン５００の接続スレーブ情報を受信したか否かを判定する。接続スレーブ情報が受信された場合（ステップＳ１４  ＹＥＳ）、処理はステップＳ２１（図１４）に進められる。一方、接続スレーブ情報が受信されていなければ（ステップＳ１４  ＮＯ）、ステップＳ１４の処理が繰り返される。
【００９４】
［ステップＳ２１］制御部１１１は、接続スレーブ情報に基づいて、ヘッドホン５００と情報処理装置２００が通信中であるか否かを判定する。ヘッドホン５００と情報処理装置２００が通信中であれば（ステップＳ２１  ＹＥＳ）、情報処理装置１００はヘッドホン５００と接続されることなく、処理は終了される。一方、ヘッドホン５００と情報処理装置２００が通信中でなければ（ステップＳ２１  ＮＯ）、処理はステップＳ２２に進められる。
【００９５】
［ステップＳ２２］制御部１１１は、情報処理装置２００に対してヘッドホン５００との接続の切断を要求する切断要求を送信する。このとき、制御部１１１は、マスター情報記憶部１５１に記憶されている、情報処理装置１００を識別するマスター情報を、切断要求に含める。
【００９６】
［ステップＳ２３］制御部１１１は、切断要求に対する応答を確認する。応答内容としてヘッドホン５００との接続の切断を拒否する切断拒否を受信した場合（ステップＳ２３  ＹＥＳ）、情報処理装置１００はヘッドホン５００と接続されることなく、処理は終了される。一方、応答内容として切断拒否を受信していなければ（ステップＳ２３  ＮＯ）、処理はステップＳ２４に進められる。
【００９７】
［ステップＳ２４］制御部１１１は、ヘッドホン５００から情報処理装置１００との通信の接続を要求する接続要求を受信したか否かを判定する。接続要求を受信した場合（ステップＳ２４  ＹＥＳ）、処理はステップＳ２５に進められる。一方、接続要求を受信していなければ（ステップＳ２４  ＮＯ）、処理はステップＳ２３に進められる。
【００９８】
［ステップＳ２５］制御部１１１は、ヘッドホン５００との通信を接続する。その後、処理は終了される。
図１５および図１６は、第２の実施の形態のマスター側接続応答処理を示すフローチャートである。マスター側接続応答処理は、スレーブ側の装置と接続されているマスター側の装置が、他のマスター側の装置からの要求に応じて、スレーブ側の装置との接続を切断し、スレーブ側の装置を他のマスター側の装置と接続させる処理である。マスター側接続応答処理は、スレーブ側の装置と接続されているマスター側の装置において常にまたは定期的に実行されている。以下では、図１５および図１６に示すマスター側接続応答処理をフローチャートのステップ番号に沿って説明する。ここでは、前述のように、スレーブ側の装置がヘッドホン５００であり、情報処理装置２００がスレーブ側の装置と接続されているマスター側の装置とする。また、ヘッドホン５００は情報処理装置２００と接続されており、情報処理装置１００がヘッドホン５００との通信の接続を要求しているものとする。
【００９９】
［ステップＳ３１］情報処理装置２００の制御部２１１は、他のマスター側の装置（例えば、情報処理装置１００）からの接続スレーブ情報要求を受信したか否かを判定する。ここでの接続スレーブ情報要求は、ヘッドホン５００との通信の接続状態の通知を要求するものである。接続スレーブ情報要求が受信された場合（ステップＳ３１  ＹＥＳ）、処理はステップＳ３２に進められる。一方、接続スレーブ情報要求が受信されていなければ（ステップＳ３１  ＮＯ）、処理はステップＳ３３に進められる。
【０１００】
ここで、スレーブ側の装置と接続されているマスター側の装置は、自身が接続していないスレーブ側の装置の接続スレーブ情報要求を受信した場合、いずれのスレーブ側の装置の接続スレーブ情報も送信しない。
【０１０１】
例えば、スレーブ側の装置が複数種類同時に存在している（例えば、ヘッドホン５００および図示しないスピーカ）ものとする。また、このとき、ヘッドホン５００のみと接続されている情報処理装置２００に対して、スピーカとの接続を求める音楽プレーヤ３００からスピーカとの通信の接続状態を要求する接続スレーブ情報要求を受信したものとする。この場合、情報処理装置２００は、音楽プレーヤ３００の要求に対して、ヘッドホン５００およびスピーカのいずれに関する接続スレーブ情報も送信しない。なお、この場合において、ヘッドホン５００との接続スレーブ情報要求を受信したときは、情報処理装置１００に対してヘッドホン５００との接続スレーブ情報を送信する。
【０１０２】
［ステップＳ３２］制御部２１１は、情報処理装置１００に対して、接続先であるヘッドホン５００と通信中であるか否かを示す接続スレーブ情報を送信する。その後、処理は終了される。
【０１０３】
［ステップＳ３３］制御部２１１は、情報処理装置１００等の他のマスター側の装置からのヘッドホン５００との接続の切断を要求する切断要求を受信したか否かを判定する。切断要求が受信された場合（ステップＳ３３  ＹＥＳ）、処理はステップＳ４１（図１６）に進められる。一方、切断要求が受信されていなければ（ステップＳ３３  ＮＯ）、処理はステップＳ３１に進められる。前述したように、切断要求には、ヘッドホン５００との接続の切り替えを要求する情報処理装置１００のマスター情報が含まれている。
【０１０４】
［ステップＳ４１］制御部２１１は、情報処理装置２００とヘッドホン５００との接続の切断を許可するか否かについて判定する。ヘッドホン５００との接続の切断を許可する場合（ステップＳ４１  ＹＥＳ）、処理はステップＳ４２に進められる。一方、情報処理装置２００がヘッドホン５００との通信中である場合や、通信を継続する場合等、ヘッドホン５００との接続の切断を許可しない場合（ステップＳ４１  ＮＯ）、処理はステップＳ４５に進められる。
【０１０５】
［ステップＳ４２］制御部２１１は、ヘッドホン５００に対して切り替え要求を送信する。切り替え要求は、情報処理装置１００を示す接続マスター情報、ヘッドホン５００と情報処理装置２００との接続をヘッドホン５００と情報処理装置１００との接続に切り替える旨を含む。
【０１０６】
［ステップＳ４３］制御部２１１は、切り替え要求に対する応答として準備完了通知を受信したか否かを判定する。準備完了通知は、通信の切り替えの準備が完了した旨を示す。準備完了通知が受信された場合（ステップＳ４３  ＹＥＳ）、処理はステップＳ４４に進められる。一方、準備完了通知が受信されていなければ（ステップＳ４３  ＮＯ）、ステップＳ４３の処理が繰り返される。
【０１０７】
［ステップＳ４４］制御部２１１は、ヘッドホン５００との接続を切断する。その後、処理は終了される。
［ステップＳ４５］制御部２１１は、情報処理装置２００にヘッドホン５００との接続の切断を拒否する切断拒否を送信する。その後、処理は終了される。
【０１０８】
図１７および図１８は、第２の実施の形態のスレーブ側接続応答処理を示すフローチャートである。スレーブ側接続応答処理は、スレーブ側装置が、マスター側の装置からの接続要求に応じて接続動作を行う際に実行される処理である。スレーブ側接続応答処理は、スレーブ側の装置において常にまたは定期的に実行されている。以下では、図１７および図１８に示すスレーブ側接続応答処理をフローチャートのステップ番号に沿って説明する。ここでは、前述のように、スレーブ側の装置がヘッドホン５００であり、情報処理装置２００がスレーブ側の装置と接続されているマスター側の装置とする。また、ヘッドホン５００は情報処理装置２００と接続されており、情報処理装置１００がヘッドホン５００との通信の接続を要求しているものとする。
【０１０９】
［ステップＳ５１］ヘッドホン５００の制御部５０１は、マスター側の装置（例えば、情報処理装置１００）からの接続要求を受信したか否かを判定する。接続要求が受信された場合（ステップＳ５１  ＹＥＳ）、処理はステップＳ５２に進められる。一方、接続要求が受信されていなければ（ステップＳ５１  ＮＯ）、処理はステップＳ５５に進められる。
【０１１０】
［ステップＳ５２］制御部５０１は、情報処理装置１００以外のマスター側の装置と接続されている接続中であるか否かを判定する。ヘッドホン５００が情報処理装置２００と接続中であれば（ステップＳ５２  ＹＥＳ）、情報処理装置２００との接続は維持され、処理は終了される。一方、ヘッドホン５００が情報処理装置２００と接続中でなければ（ステップＳ５２  ＮＯ）、処理はステップＳ５３に進められる。
【０１１１】
［ステップＳ５３］制御部５０１は、接続要求を送信した情報処理装置１００が最優先となるように接続マスターテーブルの優先順位を変更する。
［ステップＳ５４］制御部５０１は、接続マスターテーブルの優先順位に基づいて、最優先のマスター側の装置である情報処理装置１００と接続する。その後、処理は終了される。
【０１１２】
［ステップＳ５５］制御部５０１は、情報処理装置２００等の接続中のマスター側の装置からの切り替え要求を受信したか否かを判定する。ここでの切り替え要求は、情報処理装置２００との接続から情報処理装置１００等の接続を要求するマスター側の装置との接続への切り替えを要求するものである。切り替え要求が受信された場合（ステップＳ５５  ＹＥＳ）、処理はステップＳ６１（図１８）に進められる。一方、切り替え要求が受信されていなければ（ステップＳ５５  ＮＯ）、処理はステップＳ５１に進められる。前述したように、切り替え要求には、ヘッドホン５００との接続の切り替えを要求する情報処理装置１００のマスター情報が含まれている。
【０１１３】
［ステップＳ６１］制御部５０１は、接続要求を送信した情報処理装置１００が最優先となるように接続マスターテーブルの優先順位を変更する。
［ステップＳ６２］制御部５０１は、情報処理装置２００に対して接続の切断の準備が完了した旨を示す準備完了通知を送信する。
【０１１４】
［ステップＳ６３］制御部５０１は、情報処理装置２００との接続を切断する。
［ステップＳ６４］制御部５０１は、接続マスターテーブルの優先順位に基づいて、最優先のマスター側の装置である情報処理装置１００に対して接続要求を送信する。
【０１１５】
［ステップＳ６５］制御部５０１は、接続要求に対する情報処理装置１００からの応答を受信すると、情報処理装置１００と接続する。その後、処理は終了される。
以上、第２の実施の形態によれば、マスター側の装置である情報処理装置１００，２００とスレーブ側の装置であるヘッドホン５００との無線通信による接続の切り替えが自動化される。これにより、ヘッドホン５００と接続されるマスター側の装置の情報処理装置２００から情報処理装置１００への切り替えが容易に行われる。
【０１１６】
また、ヘッドホン５００が、情報処理装置１００からのマスター情報について、接続マスターテーブルの接続マスター情報で情報処理装置１００を確認する。これにより、不正なマスター側の装置によるヘッドホン５００との接続が防止される。
【０１１７】
制御部１１１は、接続拒否を受信した場合に、情報処理装置１００のマスター情報を含めて情報処理装置２００に対して切断要求を送信する。情報処理装置２００は、その切断要求に基づいて、情報処理装置１００のマスター情報を切り替え要求と共にヘッドホン５００に送信する。ヘッドホン５００は、受信した情報処理装置１００のマスター情報に基づいて、情報処理装置１００に接続要求を送信する。これにより、情報処理装置２００とヘッドホン５００との接続が、情報処理装置１００とヘッドホン５００との接続に、容易に切り替えられる。
【０１１８】
制御部１１１は、接続の切り替えが可能である旨を示す接続スレーブ情報を受信すると、情報処理装置２００に対して切断要求を送信する。これにより、情報処理装置２００とヘッドホン５００とが通信中である場合等、接続の切り替えが不可能な場合には切断要求が送信されず、無駄な切断要求の送信が抑制される。
【０１１９】
制御部１１１は、マスター情報を切断要求に含めて情報処理装置２００に送信する。これにより、制御信号の送受信の効率化が図られる。
制御部２１１は、情報処理装置１００から送信されたマスター情報およびヘッドホン５００と情報処理装置２００との接続についてヘッドホン５００と情報処理装置１００との接続に切り替える切り替え要求をヘッドホン５００に対して送信する。これにより、容易に接続が切り替えられる。
【０１２０】
制御部２１１は、ヘッドホン５００と接続している場合において、情報処理装置１００からの接続スレーブ情報要求を受信した場合に、情報処理装置１００に対してヘッドホン５００との接続の状態および接続の切り替えが可能であるか否かを示す接続スレーブ情報を送信する。これにより、接続の切り替えが可能であるか否かが情報処理装置１００に通知され、接続の切り替えが不可能な場合に、情報処理装置１００は切り替えを断念する。そのため、無駄な処理の抑制や、処理の遅滞の抑制が図られる。
【０１２１】
制御部２１１は、情報処理装置１００のマスター情報を切り替え要求に含めてヘッドホン５００に送信する。これにより、制御信号の送受信の効率化が図られる。
制御部２１１は、ヘッドホン５００と接続していない場合において、情報処理装置１００から送信された接続スレーブ情報要求を受信したときには、情報処理装置１００に対して接続スレーブ情報を送信しない。これにより、ヘッドホン５００と接続しているマスター側の装置のみが情報処理装置１００に対して接続スレーブ情報を送信することになり、制御信号の送受信の効率化および制御処理の効率化が図られる。
【０１２２】
制御部５０１は、情報処理装置２００から送信された情報処理装置１００のマスター情報および切り替え要求を受信した場合において、情報処理装置２００との接続の切断が完了したときには、マスター情報に基づき情報処理装置１００に対して接続要求を送信する。これにより、情報処理装置１００，２００、ヘッドホン５００の各装置間における接続の切り替えが容易に行われる。
【０１２３】
本実施の形態では、情報処理装置およびヘッドホンを挙げて説明したが、これは例示であり、あらゆる電子装置に適用可能である。適用可能な電子装置として、例えば、携帯型テレビ、携帯型ゲーム機、電子辞書装置、ＰＤＡ等の携帯端末装置、イヤホン、スピーカ、マイクロホン等の音響機器、プリンタ、スキャナ、外部記憶装置、リモートコントローラ、マウス、キーボード、トラックボール、デジタイザ、タッチパネル、タッチペン等の周辺機器を挙げるが、必ずしもこれらに限らない。
【０１２４】
なお、上記の処理機能は、コンピュータによって実現される。その場合、情報処理装置１００，２００、ヘッドホン５００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておけばよい。コンピュータで読み取り可能な記録媒体は、例えば、磁気記憶装置、光ディスク、光磁気記録媒体、半導体メモリ等である。磁気記憶装置は、ハードディスク装置、フレキシブルディスク（ＦＤ）、磁気テープ等である。光ディスクは、ＤＶＤ、ＤＶＤ−ＲＡＭ、ＣＤ−ＲＯＭ／ＲＷ等である。光磁気記録媒体は、ＭＯ（Magneto-Optical disk）等である。
【０１２５】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１２６】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行してもよい。また、コンピュータは、ネットワークを介して接続されたサーバコンピュータからプログラムが転送されるごとに、逐次、受け取ったプログラムに従った処理を実行してもよい。
【０１２７】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【０１２８】
以上、開示の電子装置および無線通信制御プログラムを、図示の実施の形態に基づいて説明したが、上記については単に本発明の原理を示すものである。開示の技術は、多数の変形、変更が当業者にとって可能であり、上記に示し、説明した正確な構成および応用例に限定されるものではなく、各部の構成は同様の機能を有する任意の構成のものに置換することができる。また、開示の技術に他の任意の構成物や工程が付加されてもよい。また、開示の技術は前述した実施の形態のうちの任意の２以上の構成を組み合わせたものであってもよい。また、開示の技術に対応するすべての変形例および均等物は、添付の請求項およびその均等物による本発明の範囲とみなされる。
【０１２９】
以上説明した第１の実施の形態、第２の実施の形態に関し、さらに以下の付記を開示する。
（付記１）  接続対象の電子装置と無線通信により接続する電子装置であって、
自装置を識別する識別情報を記憶する記憶部と、
前記接続対象の電子装置と接続する際に、前記接続対象の電子装置が他の電子装置と接続されている場合には、前記他の電子装置に対して前記自装置の識別情報を送信し、前記他の電子装置から送信された前記自装置の識別情報を受信した前記接続対象の電子装置からの前記接続対象の電子装置との接続要求を受信したときには、前記接続対象の電子装置と接続する制御部と、
を有することを特徴とする電子装置。
【０１３０】
（付記２）  前記制御部は、前記接続対象の電子装置に接続要求を送信し、前記接続要求に対する接続拒否を受信した場合には、前記他の電子装置に対して前記自装置の識別情報を送信することを特徴とする付記１記載の電子装置。
【０１３１】
（付記３）  前記制御部は、前記他の電子装置から接続情報を受信し、前記接続情報が前記接続対象の電子装置と当該電子装置との接続に切り替え可能である旨を示すときには、前記他の電子装置に対して前記接続対象の電子装置との接続の切断を要求する切断要求を送信することを特徴とする付記１記載の電子装置。
【０１３２】
（付記４）  前記制御部は、前記他の電子装置に対して前記自装置の識別情報を前記切断要求に含めて送信することを特徴とする付記３記載の電子装置。
（付記５）  前記制御部は、前記接続対象の電子装置が前記他の電子装置と接続されている場合には、前記接続情報の要求を送信することを特徴とする付記３記載の電子装置。
【０１３３】
（付記６）  前記制御部は、前記接続情報の要求を、送信先の電子装置を指定せずに送信することを特徴とする付記５記載の電子装置。
（付記７）  前記接続対象の電子装置と、前記他の電子装置または前記自装置とは、排他的に接続されることを特徴とする付記１記載の電子装置。
【０１３４】
（付記８）  接続対象の電子装置と無線通信により接続する電子装置であって、
前記接続対象の電子装置と接続している場合において、他の電子装置から送信された前記他の電子装置を識別する識別情報を受信したときには、前記他の電子装置の識別情報と、前記接続対象の電子装置と当該電子装置との接続の切断と、前記接続対象の電子装置と前記他の電子装置との接続とを要求する切り替え要求とを、前記接続対象の電子装置に対して送信する制御部を有することを特徴とする電子装置。
【０１３５】
（付記９）  前記制御部は、前記接続対象の電子装置と接続している場合において、前記他の電子装置から接続情報の送信を要求する接続情報要求を受信したときには、前記他の電子装置に対して前記接続対象の電子装置との接続の状態が前記他の電子装置の接続に切り替え可能であるか否かを示す接続情報を送信することを特徴とする付記８記載の電子装置。
【０１３６】
（付記１０）  前記制御部は、前記他の電子装置の識別情報を前記切り替え要求に含めることを特徴とする付記８記載の電子装置。
（付記１１）  前記制御部は、前記接続対象の電子装置と接続していない場合において、前記他の電子装置から前記接続情報要求を受信したときには、前記接続情報を送信しないことを特徴とする付記９記載の電子装置。
【０１３７】
（付記１２）  電子装置と無線通信により接続する電子装置であって、
自装置と接続中の電子装置から送信された、他の電子装置を識別する識別情報と、前記自装置と前記接続中の電子装置との接続の切断と、前記自装置と前記他の電子装置との接続とを要求する切り替え要求とを受信した場合において、前記接続中の電子装置との接続の切断が完了したときには、前記他の電子装置の識別情報に基づき前記他の電子装置に対して前記他の電子装置との接続を要求する接続要求を送信する制御部を有することを特徴とする電子装置。
【０１３８】
（付記１３）  接続対象の電子装置と無線通信により接続する電子装置を制御する無線通信制御プログラムであって、
電子装置を、
接続対象の電子装置と接続する際に、前記接続対象の電子装置が他の電子装置と接続されている場合には、前記他の電子装置に対して記憶部に記憶されている自装置を識別する識別情報を送信し、前記他の電子装置から送信された前記自装置の識別情報を受信した前記接続対象の電子装置からの前記接続対象の電子装置との接続要求を受信したときには、前記接続対象の電子装置と接続する制御部として機能させることを特徴とする無線通信制御プログラム。
【０１３９】
（付記１４）  接続対象の電子装置と無線通信により接続する電子装置を制御する無線通信制御方法であって、
電子装置が、
接続対象の電子装置と接続する際に、前記接続対象の電子装置が他の電子装置と接続されている場合には、前記他の電子装置に対して記憶部に記憶されている自装置を識別する識別情報を送信し、
前記他の電子装置から送信された前記自装置の識別情報を受信した前記接続対象の電子装置からの前記接続対象の電子装置との接続要求を受信したときには、前記接続対象の電子装置と接続する、
ことを特徴とする無線通信制御方法。
【０１４０】
（付記１５）  電子装置同士を無線通信により接続する無線通信システムであって、
第１の電子装置と、
前記第１の電子装置および他の電子装置と接続可能な第２の電子装置と、
を有し、
前記第１の電子装置は、前記第２の電子装置と接続している場合において、前記他の電子装置から送信された前記他の電子装置を識別する識別情報を受信したときには、前記他の電子装置の識別情報と、前記第２の電子装置と当該第１の電子装置との接続の切断と、前記第２の電子装置と前記他の電子装置との接続とを要求する切り替え要求とを、前記第２の電子装置に対して送信する第１の制御部を有し、
前記第２の電子装置は、自装置と接続中である前記第１の電子装置から送信された、前記他の電子装置の識別情報と、前記切り替え要求とを受信した場合において、前記第１の電子装置との接続の切断が完了したときには、前記他の電子装置の識別情報に基づき、前記他の電子装置に対して前記他の電子装置との接続を要求する接続要求を送信する第２の制御部を有する、
ことを特徴とする無線通信システム。
【０１４１】
（付記１６）  電子装置同士を無線通信により接続する無線通信制御方法であって、
第１の電子装置が、他の電子装置と接続可能な第２の電子装置と接続している場合において、前記他の電子装置から送信された前記他の電子装置を識別する識別情報を受信したときには、前記他の電子装置の識別情報と、前記第２の電子装置と当該第１の電子装置との接続の切断と、前記第２の電子装置と前記他の電子装置との接続とを要求する切り替え要求とを、前記第２の電子装置に対して送信し、
前記第１の電子装置および前記第２の電子装置が、自装置と接続中である前記第１の電子装置から送信された、前記他の電子装置の識別情報と、前記切り替え要求とを受信した場合において、前記第１の電子装置との接続の切断が完了したときには、前記他の電子装置の識別情報に基づき、前記他の電子装置に対して前記他の電子装置との接続を要求する接続要求を送信する、
ことを特徴とする無線通信制御方法。
【０１４２】
（付記１７）  電子装置同士を無線通信により接続する無線通信システムであって、
第１の電子装置と、
第２の電子装置と、
前記第１の電子装置および前記第２の電子装置と接続可能な第３の電子装置と、
を有し、
前記第１の電子装置は、
自装置を識別する識別情報を記憶する記憶部と、
前記第３の電子装置と接続する際に、前記第３の電子装置が前記第２の電子装置と接続されている場合には、前記第２の電子装置に対して前記自装置の識別情報を送信し、前記第２の電子装置から送信された前記自装置の識別情報を受信した前記第３の電子装置からの前記第３の電子装置との接続要求を受信したときには、前記第３の電子装置と接続する第１の制御部と、
を有し、
前記第２の電子装置は、前記第３の電子装置と接続している場合において、前記第１の電子装置から送信された前記第１の電子装置の識別情報を受信したときには、前記第１の電子装置の識別情報と、前記第３の電子装置と当該第２の電子装置との接続の切断と、前記第３の電子装置と前記第１の電子装置との接続とを要求する切り替え要求とを、前記第３の電子装置に対して送信する第２の制御部を有し、
前記第３の電子装置は、自装置と接続中である前記第２の電子装置から送信された、前記第１の電子装置の識別情報と、前記切り替え要求とを受信した場合において、前記第２の電子装置との接続の切断が完了したときには、前記第１の電子装置の識別情報に基づき前記第１の電子装置に対して前記第１の電子装置との接続を要求する接続要求を送信する第３の制御部を有する、
ことを特徴とする無線通信システム。
【０１４３】
（付記１８）  電子装置同士を無線通信により接続する無線通信制御方法であって、
第１の電子装置が、第３の電子装置と接続する際に、前記第３の電子装置が第２の電子装置と接続されている場合には、前記第２の電子装置に対して記憶部に記憶されている自装置を識別する識別情報を送信し、
前記第２の電子装置が、前記第３の電子装置と接続している場合において、前記第１の電子装置から送信された前記第１の電子装置の識別情報を受信したときには、前記第１の電子装置の識別情報と、前記第３の電子装置と当該第２の電子装置との接続の切断と、前記第３の電子装置と前記第１の電子装置との接続とを要求する切り替え要求とを、前記第３の電子装置に対して送信し、
前記第１の電子装置および前記第２の電子装置と接続可能な前記第３の電子装置が、
自装置と接続中である前記第２の電子装置から送信された、前記第１の電子装置の識別情報と、前記切り替え要求とを受信した場合において、前記第２の電子装置との接続の切断が完了したときには、前記第１の電子装置の識別情報に基づき前記第１の電子装置に対して前記第１の電子装置との接続を要求する接続要求を送信し、
前記第１の電子装置が、前記第２の電子装置から送信された前記自装置の識別情報を受信した前記第３の電子装置からの前記第３の電子装置との接続要求を受信したときには、前記第３の電子装置と接続する、
ことを特徴とする無線通信制御方法。
【符号の説明】
【０１４４】
１，２，３  電子装置
１ａ，２ａ，３ａ  制御部
１ａ１，２ａ１，３ａ１  アンテナ
１ｂ  マスター情報記憶部
【図１】
0005621481.tif 000002
【図２】
0005621481.tif 000003
【図３】
0005621481.tif 000004
【図４】
0005621481.tif 000005
【図５】
0005621481.tif 000006
【図６】
0005621481.tif 000007
【図７】
0005621481.tif 000008
【図８】
0005621481.tif 000009
【図９】
0005621481.tif 000010
【図１０】
0005621481.tif 000011
【図１１】
0005621481.tif 000012
【図１２】
0005621481.tif 000013
【図１３】
0005621481.tif 000014
【図１４】
0005621481.tif 000015
【図１５】
0005621481.tif 000016
【図１６】
0005621481.tif 000017
【図１７】
0005621481.tif 000018
【図１８】
0005621481.tif 000019